(57)【要約】内面と外面を有する衣服から成るスカーフまたはショールである。内面は、内容物を保持するための蓋を有する複数のポケットを含む。一組の固定装置は、着用者の他の服飾に衣服を保持するために、衣服に取り付けられている。スカーフまたはショールは、ジャケット、コート、ハンドバッグ、または財布に加えて、または代わりに着用されてもよい。衣服は、ポケットが外方を向くように裏返して着用されてもよい。【選択図】図１
2009504935.tif 000002
【特許請求の範囲】
【請求項１】
第１の表面と、第２の表面と、を有する衣服と、
第１の表面または第２の表面に設けられた複数のポケットと、
少なくともいくつかのポケットを保持するための蓋と、
から成るスカーフまたはショールであって、
前記衣服には、着用者の他の服飾に取り付けるための一対の固定装置が設けられていることを特徴とする。
【請求項２】
衣服は略矩形状に形成されていることを特徴とする請求項１に記載のスカーフまたはショール。
【請求項３】
前記衣服は、折り畳まれた１枚の織物によって製造されることを特徴とする請求項１に記載のスカーフまたはショール。
【請求項４】
前記衣服は、ともに縫い付けられた２枚の織物によって製造されることを特徴とする請求項１に記載のスカーフまたはショール。
【請求項５】
裏地は折り畳まれた織物間に挟まれていることを特徴とする請求項３に記載のスカーフまたはショール。
【請求項６】
裏地は２枚の織物間に挟まれていることを特徴とする請求項４に記載のスカーフまたはショール。
【請求項７】
ポケットは、着用者の私物を持ち運ぶための大きさに設けられていることを特徴とする請求項１に記載のスカーフまたはショール。
【請求項８】
蓋は、フラップ、スナップボタン、ジッパー、面ファスナーから成る群より少なくとも１つを選択して構成されることを特徴とする請求項１に記載のスカーフまたはショール。
【請求項９】
前記衣服を適所で保持するための固定装置は、前記衣服に末端部が取り付けられたストラップから成り、該ストラップは、着用者の他の服飾または着用者の腰の近傍に取り付けられるための十分な長さを有していることを特徴とする請求項１に記載のスカーフまたはショール。
【請求項１０】
前記ストラップは、長さを調整可能であることを特徴とする請求項９に記載のスカーフまたはショール。
【請求項１１】
前記固定装置は、縫合によって前記衣服に取り付けられることを特徴とする請求項９に記載のスカーフまたはショール。
【請求項１２】
前記固定装置は、クリップまたはグリップによって前記衣服に取り付けられることを特徴とする請求項９に記載のスカーフまたはショール。
【請求項１３】
前記ストラップは、該ストラップの末端に、前記着用者の服飾に固定するための握持装置を備えていることを特徴とする請求項９に記載のスカーフまたはショール。
【請求項１４】
衣服は、前記ストラップを通すための開口部を有しており、それによって着用者は衣服を表裏逆転させて着ることができることを特徴とする請求項９に記載のスカーフまたはショール。
【請求項１５】
スカーフまたはショールは、衣服を着用者の他の服飾に保持するための一対の固定装置を有する略方形状の衣服から構成されることを特徴とする。
【請求項１６】
固定装置は、ストラップにより構成されることを特徴とする請求項１５に記載のスカーフまたはショール。
【請求項１７】
前記固定装置は、縫合によって前記衣服の末端部に取り付けられることを特徴とする請求項１６に記載のスカーフまたはショール。
【請求項１８】
前記固定装置は、クリップまたはグリップによって取り付けられることを特徴とする請求項１６に記載のスカーフまたはショール。
【請求項１９】
前記ストラップは、該ストラップの末端に握持装置を備えていることを特徴とする請求項１６に記載のスカーフまたはショール。
【請求項２０】
前記ストラップは、長さが調整可能であることを特徴とする請求項１６に記載のスカーフまたはショール。
【発明の詳細な説明】
【技術分野】
【０００１】
この出願は、一般的に衣類に関し、特には、現金のような私物を格納するためのポケットが少なくとも１つ設けられたスカーフやショールのような形状の衣服に関する。
【背景技術】
【０００２】
従来技術は様々な形態のマネーベルトを含んでいる。一般的に、この種の従来技術のマネーベルトは、使用者の腰に隣接するベルトの表層からアクセスすることができる、ベルトに一体的に形成されたポケットを含む。従来通りのマネーベルトは、限定的な使用には有効であったが、持ち運ぶことのできる物品の数や大きさ等の厳しい制限があった。また、従来のマネーベルトは、ポケットが設けられていない一般的なベルトと比較すると、製造するには比較的高価であった。
【０００３】
従来技術もまた、物品を身に付けて持ち運ぶためのポケットを特徴としたネクタイを提案している。例えば、特許文献１は、コンドームのような小さい私物を持ち運ぶためにデザインされたポケットを有するネクタイを教示している。
【０００４】
特許文献２は、タイの表示側のポケットに形成された一方の壁面に透明な樹脂板を有するネクタイに形成されたポケットを教示している。
【０００５】
特許文献３は、着用者のシャツにネクタイを保持するために、シャツに対してボタン止めするための織物台の背面が有する隠しポケットを教示している。
【０００６】
特許文献４は、装飾された壁面と、背面間で、タイの本体内に永久に備えられているポケットを有するネクタイを教示している。
【０００７】
特許文献５は、タイやスカーフ、アスコットタイ、ハンカチ等の装飾的なネックウェアに取り付けられた、隠されたまたは秘密の保管ポケットから成る装飾的な構造のタイ内で貴重品を保持するための装置を教示している。特許文献５によると、取り外し可能な保管ポケットは、ボタンや、スナップ、面ファスナー、またはその他従来の保管ポケットに据え付けられた嵌合締め具と一致する位置に取り付けられた締め具を有するネックウェアの１つ、もしくは多数の部分に対して取り外しと、再取り付けをすることができ、取り外し可能な保管ポケットは、並行して、明らかでない隠し場所を貴重品もしくは他の内容物に対して提供するとともに、貴重品のために財布またはハンドバッグとしての機能を保管ポケットに与えることによって、保管ポケットの内容物を乱すことなく装置としての装飾的なネックウェアの多くの異なる部分に対して取り外しと再取り付けをすることができる。その上、ポケットショール、すなわち、家庭内で持ち運ぶ用途のために、薄織物は商業的に利用することができる。
【０００８】
【特許文献１】米国特許第５４３５０１１号
【特許文献２】米国特許第５０７３９８７号
【特許文献３】米国特許第４８３５８２１号
【特許文献４】米国特許第５４３５０１１号
【特許文献５】米国特許第５８０２６１３号
【発明の開示】
【発明が解決しようとする課題】
【０００９】
しかし、特許文献２の意図はポケットの内容物を視聴関係者に対して表示することである。従って、現金やクレジットカードのような貴重品を保持するには相応しくない。
【００１０】
特許文献３はまた、ポケットは左右幅の狭いシャツのボタンストリップに取り付けられているとともに、シャツのボタンに取り付ける必要があるので、アスコットタイやスカーフ、ハンカチ等のネックウェア用の取付具が存在しないので、使用されることが無く、大きさが制限されている。特許文献３によって教示される小さなポケットは、ネクタイで使用される場合においても、クレジットカードや現金、身分証明書の数を考慮していない。その上、使用者のタイは、使用者がポケットの内容物を使用しようとする度にポケットを有する台から取り外さなければならない。
【００１１】
特許文献４は、タイ及びタイ内部に着脱不能に縫合され、そして、ポケットからの内容物の取り出しは、タイの後壁面を折り返す必要性によって阻害されている。使用者がポケットの内容物を必要とする場合、ポケットはタイの内部に着脱不能に取り付けられているので、使用者が別のネクタイを着用しようとする度に、使用者はポケットの内容物を一つずつ取り除いて財布か別のタイに内容物を移し換えなければならない。
【００１２】
特許文献５のような商業的に利用できるポケットショールは、基本的な保持性を有していないので、屋外での用途を目的としていない。
【課題を解決するための手段】
【００１３】
様々な大きさと形状の個人的な持ち物を安全かつ慎重に適用するためのポケットを有する布アクセサリの需要がある。本発明によって、スカーフまたはショールには、スカーフまたはショールの端部が前方へパタパタするかまたは風にゆらめくことことを防止するために、スカーフまたはショールを、着用者によって着用されているベルトまたはその他の衣服に取り付けるための少なくとも１つの紐もしくはタイとともに、内側、つまり、着用者の体と対向する面、に少なくとも１つのポケットが備えられている。
【発明を実施するための最良の形態】
【００１４】
更に、本発明の特徴及び効果は、以下の詳述により図面とともに説明する。図１は、本発明であるスカーフまたはショールを４５度の角度で２回折り曲げた状態を示す平面図であり、図２は、スカーフまたはショールを１回折曲げた状態を示す平面図であり、図３及び図４は、本発明であるスカーフまたはショールの使用状態を示す図である。
【００１５】
図１および図２に示すように、本発明であるスカーフまたはショールは、方形状に形成された織物製品１０から成る。その織物製品は、外側パネルまたは外側面１２と、内側パネルまたは内側面１４と、を有しており、綿、麻、羊毛、絹、スウェード等の自然素材や、ナイロン、ダクロン、ウルトラスウェード、ポリプロピレン等の人工繊維や、少なくとも１つの繊維素材の合成品により形成されることができる。スカーフまたはショールは、単一のパネルや、内側と外側が積層されたパネルであってもよく、図示しない裏地を含んでもよい。同一調の色またはデザインは、織物製品１０に印刷または編み込まれていてもよい。望むのなら、外側表面を１つのパターンまたは色に着色する一方、内側表面には外側表面とは異なるパターンまたは色を着色することができる。
【００１６】
スカーフまたはショールの一方の表面またはパネル１４には、少なくとも１つのポケット１６ａ，１６ｂ・・・が設けられている。ポケット１６ａ，１６ｂ，・・・は、クレジットカード、運転免許証、現金、読書用眼鏡、ペン、パスポート等の持ち運ぶことのできる私物や、口紅、コンパクト、鏡または櫛等の化粧品に適用するような大きさに設けられている。少なくとも、いくつかのポケットにはスナップ、ジッパーまたは面ファスナーのような固定装置を有しおり、また、ポケットを閉塞するためのフラップを含んでいてもよい。例えば、２つのポケット１６ａ，１６ｂは、クレジットカードと折られた紙幣を保持するような大きさに設けられている一方、他の２つのポケット１６ｃ，１６ｄは、例えば、旅客機の搭乗券を保持するような大きさに設けられている。防犯のためには、ポケットには閉じ口があるのが好ましい。例えば、上方のポケット１６ａ，１６ｂはフラップ３０と、スナップ３２と、で固定されていてもよく、下方のポケット１６ｃ，１６ｄはジッパー３４と、面ファスナー（図１の鎖線３６に示す）で固定されていてもよい。また、望むのなら、上方及び／または下方のポケットは少なくとも１つの入れ子構造のポケット（図示せず）を含んでもよい。そして、望むのなら、上方及び／または下方のポケットは拡張プリーツ３８を含んでもよい。
【００１７】
本発明の特徴及び効果は、着用者が着席もしくは前方に屈むとともに風に揺らめくとき、スカーフまたはショールが風でばたつくことを防止するために、着用者のベルトや、ベルトのループ等にスカーフまたはショールを取り付けるためのストラップやタイのような固定要素を提供することである。
【００１８】
例えば、固定要素は、内部のパネルに例えば縫合されることで一端を留められている細長い紐とすることができる。あるいは、ワニ口クリップのようなグリップまたはサスペンダー状のグリップ２２を、着用者がスカーフまたはショールを着用者自身の衣服に留めるようにするための、紐２０の一方の端部に取り付けることができる。固定要素はまた、ボタンとボタン穴を経たパネルに取り付けることができるか、ループに結びつけることができる。固定装置のその他の形態は、例えば、面ファスナー、スナップもまた使用することができる。
【００１９】
特に本発明の最適な実施例では、紐２０は、使用者が外側パネル１２側に紐２０を引き出すことができる通過孔２４の近くである内側パネル１４の近端部に、着脱可能に、または着脱不能に係止されている。これはスカーフまたはショールを完全に表裏一体に製造することによって、使用者に着用持にポケットが外側となるか、内側となるか、を選択させる。ワニ口クリップまたはサスペンダー型グリップまたは留め具２２は、紐２０の末端部に着脱不能に取り付けられている。また、望むのなら、紐２０はスリップバックル２８を通して長さを調整することができる。
【００２０】
また、図３及び図４に示すように、固定要素はスカーフまたはショールに対する末端部から約４分の１戻った箇所である、着用者の胸骨の略中央で固定されている。もし望むなら、固定要素は、異なった場所で身長および／または衣類の形状が異なる着用者に適応させるために、スカーフまたはショールの内側面に取り付けてもよい。本発明のスカーフまたはショールは、首周りに巻くことができ、腰で交差させることができるか、腰周りに巻くことができる。
【００２１】
本発明のスカーフまたはショールは、ジャケット、ハンドバッグ、財布の代わり、またはこれらに加えて使用されることができる。このように、着用者はジャケットを着用したり、ハンドバッグまたは財布を持ち歩く重荷から解放される。本発明のスカーフまたはショールは、ジャケットの必要性を排除することにより特に暖かい気候での生活を魅力的にすることができる。また、本発明の利点によって、スカーフまたはショールは追加的な保護および暖かさを加えることができるので、寒い気候の人々に着てもらうことができる。
【００２２】
本発明の要旨を逸脱しない範囲であれば、様々な変更は本発明に含まれる。例えば、本発明は、例えば縫合によって固定要素が着脱不能にスカーフまたはショールに取り付けられるように説明した。しかし、固定する紐は、クリップ、スナップ、面ファスナーによってスカーフまたはショールに取付けられてもよく、また、スカーフまたはショールのループを通して結ばれてもよい。また、紐はその形状に鎖を含んでおり、貴重な宝石等で飾りつけることができる。さまざまな他の変化は、本発明の要旨と範囲から逸脱することなく、なされることができる。
【図面の簡単な説明】
【００２３】
【図１】本発明であるスカーフまたはショールを４５度の角度で２回折り曲げた状態を示す平面図である。
【図２】スカーフまたはショールを１回折曲げた状態を示す平面図である。
【図３】本発明であるスカーフまたはショールの使用状態を示す図である。
【図４】本発明であるスカーフまたはショールの使用状態を示す図である。
【図１】
2009504935.tif 000003
【図２】
2009504935.tif 000004
【図３】
2009504935.tif 000005
【図４】
2009504935.tif 000006
【手続補正書】
【提出日】平成20年4月15日(2008.4.15)
【手続補正１】
【補正対象書類名】特許請求の範囲
【補正対象項目名】全文
【補正方法】変更
【補正の内容】
【特許請求の範囲】
【請求項１】
第１の表面１２と第２の表面１４を有する衣服１０と、
一方の表面に設けられた複数のポケット１６ａ，１６ｂ・・・と、
少なくとも前記複数のポケット１６ａ，１６ｂ・・・を保持するための蓋３０，３２，３４，３６と、
スカーフまたはショールを着用者の他の服飾に取り付けるために、前記衣服に取り付けられる１対の固定装置２０と、
から成ることを特徴としたスカーフまたはショール。
【請求項２】
（ａ）衣服１０は、略方形状に形成されていることと、
（ｂ）前記衣服１０は、折り畳まれた１枚の織物によって製造されており、任意に裏地が折り畳まれた織物間に挟まれていることを含んでいることと、
（ｃ）前記衣服１０は、ともに縫い付けられた２枚の織物によって製造されており、任意に裏地が前記２枚の織物間に挟まれていることを含んでいることと、
のうち、少なくとも１つの構成を有することによって特徴付けられた請求項１に記載のスカーフまたはショール。
【請求項３】
（ａ）ポケット１６ａ、１６ｂ・・・は、着用者の私物を持ち運ぶための大きさに設けられていることと、
（ｂ）蓋は、フラップ、スナップボタン、ジッパー、面ファスナーから成る群より少なくとも１つを選択して構成されることと、
のうち、少なくともいずれかの構成を有することによって特徴付けられた請求項１または２に記載のスカーフまたはショール。
【請求項４】
前記衣服を適所で保持するための前記固定装置２０は、前記衣服の最も近い末端部に取り付けられるストラップから成り、該ストラップは、着用者の他の服飾または着用者の腰の近傍に取り付けるための適当な長さを有していることによって特徴付けられた請求項１ないし３のいずれかに記載のスカーフまたはショール。
【請求項５】
（ａ）前記ストラップ２０は長さ（２８）を調整可能なことと、
（ｂ）前記固定装置２０は、縫合により前記衣服に取り付けられることと、
（ｃ）前記固定装置２０は、クリップまたはグリップにより前記衣服に取り付けられることと、
（ｄ）前記ストラップ２０は、前記着用者の服飾に固定するために、末端部に握持装置２２を有していることと、
（ｅ）衣服は、前記ストラップ２０を通すための開口部２４を有し、それによって着用者が衣服の表裏を逆転させて着ることができることと、
のうち、少なくとも１つの構成を有することによって特徴付けられた請求項４に記載のスカーフまたはショール。
【請求項６】
略方形状に形成された衣服１０は、前記着用者の他の服飾を保持するための一対の固定装置２０を有して構成されていることを特徴とするスカーフまたはショール。
【請求項７】
固定装置２０は、ストラップから構成されていることを特徴とする請求項６に記載のスカーフまたはショール。
【請求項８】
（ａ）前記固定装置２０は、縫合によって前記衣服の末端部に取り付けられていることと、
（ｂ）前記固定装置は、クリップまたはグリップ２２によって取り付けられていることと、
（ｃ）前記ストラップ２０は、末端部に握持装置２２を有していることと、
（ｄ）前記ストラップ２０は、長さ２８を調整可能であることと、
のうち、少なくとも１つの構成を有することにより特徴付けられた請求項７に記載のスカーフまたはショール。
【国際調査報告】
2009504935.tif 000007